(57)【特許請求の範囲】
【請求項１】
水洗いされた洋服を乾燥させる際に使用される立体ハンガーであって、ハンガー本体の左右両側辺部に複数のウイングを上下方向に離間させた状態で取り付け、各ウイングの外周面によって人体の首部から肩部に対応した立体形状が形成されるように各ウイングの大きさおよび形状をそれぞれ設定し、洋服の荷重が集中して作用する肩部上端のコーナ部に位置するウイングの外周部の上下寸法を他のウイングよりも大きく形成するとともに、上記肩部上端のコーナ部に位置するウイングの前辺部と後辺部とを補強リブを介して互いに連結したことを特徴とする立体ハンガー。
【請求項２】
各ウイングの少なくとも側辺部および後辺部を結ぶラインを人間の上半身に対応した形状に湾曲させたことを特徴とする請求項１記載の立体ハンガー。
【請求項３】
各ウイングをハンガー本体に対して折畳み可能となるように支持させたことを特徴とする請求項１または請求項２記載の立体ハンガー。
【請求項４】
各ウイングとハンガー本体との間に、各ウイングの揺動支点となる支持ピンと、各ウイングを拡開状態に係脱可能に係止する第１係止部と、各ウイングを折畳み状態に係脱可能に係止する第２係止部とを設けたことを特徴とする請求項３記載の立体ハンガー。
【請求項５】
各ウイングとハンガー本体との間に、各ウイングの揺動支点となる支持ピンを設けるとともに、各ウイングに当接して各ウイングを拡開状態に保持する突片をハンガー本体に設けたことを特徴とする請求項４記載の立体ハンガー。
【請求項６】
各ウイングの揺動支点となる支持ピンを、下方に位置するものほど、ハンガー本体の中央部までの距離が次第に大きくなるように配列したことを特徴とする請求項４または請求項５記載の立体ハンガー。
【発明の詳細な説明】
【０００１】
【発明の属する技術分野】
本発明は、洋服を型崩させることなく保持することができる立体ハンガーに関するものである。
【０００２】
【従来の技術】
一般に、羊毛、絹等の動物繊維からなる洋服は、水を使用することなく有機溶剤によって汚れの主成分である脂肪質等を溶解させるドライクリーニング法によって洗濯されていた。このドライクリーニング法では、汗等の水溶性の汚れを落とすのが困難であるとともに、有機溶剤によって環境に悪影響が与えられる虞があるため、水と洗剤とを使用するウェットクリーニング法によってジャケット等の洋服を水洗いする方法が提案されている。しかし、上記ジャケット等の洋服を水洗いした場合には、これを適正形状に保持した状態で乾燥させないと、洋服に型崩れが生じ易いという問題がある。
【０００３】
このため、例えば実開平３−５３１７３号公報に示されるように、空気の漏れない軟質布状素材でもって、人の胸部および両上腕部のボデーを摸したボデー型袋を形成し、このボデー型袋の上部に硬質素材によって形成した掛け具部を取り付けるとともに、ボデー型袋の必要位置に空気注入脱管の一端を溶着または接着し、この空気注入脱管の他端に栓を着脱自在の状態に嵌入してなる風船式マネキンハンガーに、水洗いされた毛糸セータ等からなる洋服を保持させることにより、これを型崩れさせることなく乾燥させることが行われている。
【０００４】
【発明が解決しようとする課題】
上記公報に示されるように、空気を充填することによって立体化させるように構成された風船式マネキンハンガーでは、水洗いされた洋服を型崩れさせることなく乾燥させることができるという利点を有する反面、使用時に上記ボデー型袋内に空気を注入するという煩雑な組立作業が必要であるとともに、水洗いされた洋服の裏面が広範囲に亘って上記ハンガーに密着した状態で使用されるため、通気性が悪くなって洋服を乾燥させるのに長時間を要するという問題がある。
【０００５】
本発明は、このような事情に鑑み、簡単な構成で水洗いされた洋服を迅速に乾燥させることができる立体ハンガーを提供するものである。
【０００６】
【課題を解決するための手段】
請求項１に係る発明は、水洗いされた洋服を乾燥させる際に使用される立体ハンガーであって、ハンガー本体の左右両側辺部に複数のウイングを上下方向に離間させた状態で取り付け、各ウイングの外周面によって人体の首部から肩部に対応した立体形状が形成されるように各ウイングの大きさおよび形状をそれぞれ設定し、洋服の荷重が集中して作用する肩部上端のコーナ部に位置するウイングの外周部の上下寸法を他のウイングよりも大きく形成するとともに、上記肩部上端のコーナ部に位置するウイングの前辺部と後辺部とを補強リブを介して互いに連結したものである。
【０００７】
上記構成によれば、ハンガー本体に取り付けられた各ウイングの外周面によって人体の首部から肩部に対応した立体形状が形成され、水洗いされた洋服等が、型崩れを生じることなく上記各ウイングによって適正形状に保持されることになる。
【０００８】
請求項２に係る発明は、上記請求項１記載の立体ハンガーにおいて、各ウイングの少なくとも側辺部および後辺部を結ぶラインを人間の上半身に対応した形状に湾曲させたものである。
【０００９】
上記構成によれば、高剛性の芯地がないために型崩れを生じ易い洋服の側辺部および後辺部が、上記各ウイングによって適正形状に保持されることになる。
【００１０】
請求項３に係る発明は、上記請求項１または請求項２記載の立体ハンガーにおいて、各ウイングをハンガー本体に対して折畳み可能となるように支持させたものである。
【００１１】
上記構成によれば、立体ハンガーの不使用時に、各ウイングが起立状態に折畳まれてコンパクト化されることになる。
【００１２】
請求項４に係る発明は、上記請求項３記載の立体ハンガーにおいて、各ウイングとハンガー本体との間に、各ウイングの揺動支点となる支持ピンと、各ウイングを拡開状態に係脱可能に係止する第１係止部と、各ウイングを折畳み状態に係脱可能に係止する第２係止部とを設けたものである。
【００１３】
上記構成によれば、支持ピンを支点にして各ウイングが揺動変位することにより、水平方向等に拡開した状態から鉛直方向等に折畳まれた状態に移行するとともに、立体ハンガーの使用時には、各ウイングが第１係止部によって上記拡開状態に安定して係止されるとともに、立体ハンガーの不使用時には、各ウイングが第２係止部によって上記折畳み状態に安定して係止されることになる。
【００１４】
請求項５に係る発明は、上記請求項４記載の立体ハンガーにおいて、各ウイングとハンガー本体との間に、各ウイングの揺動支点となる支持ピンを設けるとともに、各ウイングに当接して各ウイングを拡開状態に保持する突片をハンガー本体に設けたものである。
【００１５】
上記構成によれば、各ウイングを拡開状態とする際に、支持ピンを支点にして各ウイングが揺動変位することにより、水平方向等に拡開した状態から鉛直方向等に折畳まれた状態に移行するとともに、立体ハンガーの使用時には、各ウイングがハンガー本体の突片に当接することによって拡開状態に安定して保持されることになる。
【００１６】
請求項６に係る発明は、上記請求項４または請求項５記載の立体ハンガーにおいて、各ウイングの揺動支点となる支持ピンを、下方に位置するものほど、ハンガー本体の中央部までの距離が次第に大きくなるように配列したものである。
【００１７】
上記構成によれば、各ウイングを折畳み状態とする際に、最上方に位置するウイングがハンガー本体の中央部に近い位置において起立状態に折畳まれるとともに、下方に位置する各ウイングが、順次ハンガー本体の外側方に配列されて起立状態に折畳まれることになる。
【００１８】
【発明の実施の形態】
図１〜図３は、本発明に係る立体ハンガーの実施形態を示している。この立体ハンガーは、プラスチック材等からなるハンガー本体１と、このハンガー本体１の上端部に設けられた吊下用フック２と、ハンガー本体１の左右両側辺部に上下に離間した状態で取り付けられた第１〜第６ウイング３〜８とを有している。
【００１９】
上記第１〜第６ウイング３〜８は、上下方向に所定間隔を置いてハンガー本体１に取り付けられるとともに、平面から見て所定の大きさで略Ｕ字状に形成されることにより、人体の上半身に対応した立体形状を構成している。すなわち、最上方に位置する第１ウイング３が最も小さく形成されるとともに、下方に位置するものほど段階的に大きく形成されることにより、各ウイング３〜８の外周面を結ぶラインによって人体の首部から肩部に対応した立体形状が構成されている。
【００２０】
この実施形態では、各ウイング３〜８の前辺部を直線状に形成するとともに、各ウイング３〜８の側辺部および後辺部を、人間の上半身に対応した形状に湾曲させている（図２および図３参照）。例えば、成人の標準体形をコンピュータ解析する等によって得られた上半身の体形データに基づいて、各ウイング３〜８の側辺部および後辺部を結ぶラインが、人間の上半身に対応した曲線を構成するように、上記側辺部および後辺部の外形が設定されている。
【００２１】
また、立体ハンガーの使用時に、洋服の荷重が集中的に作用する肩部上端のコーナー部に位置する第５ウイング７は、図１および図５の仮想線に示すように、外周部の上下寸法等が他のウイング３〜６，８に比べて大きく形成されるとともに、図２に示すように、複数の補強リブ７１を介して第５ウイング７の前辺部と後辺部とが互いに連結されている。これによって立体ハンガーの使用時に、洋服の重量が上記第５ウイング７に集中的に作用した場合においても、この第５ウイング７の強度が充分に確保されることになる。
【００２２】
上記第１〜第６ウイング３〜８の基端部内面には、図４に示すように、揺動支点となる支持ピン９と、上記各ウイング３〜８の揺動変位を規制することによって各ウイング３〜８を拡開状態および折畳み状態に係脱可能に係止する半球状の突部１０とがそれぞれ突設され、上記支持ピン９を支点にして各ウイング３〜８が揺動可能な状態でハンガー本体１に支持されている。なお、図４は、第２ウイング４について図示したものであるが、他のウイングについても同様に構成されている。
【００２３】
上記ハンガー本体１は、図５に示すように、前面板１０および背面板１１と、天板１２および底板１３とを備えた上窄まり形状の箱状体からなり、上記前面板１０の下方部と背面板１１の下方部とが連結プレート１４で連結されるとともに、上記天板１２の下面には吊下用フック２の取付部となる筒状部１５が突設されている。上記背面板１１は、第１ウイング３の設置部において上記前面板１０との間隔が最も狭く形成されるとともに、下方に位置する第２〜第５ウイングの設置部において上記前面板１０との間隔が次第に広くなるように、側面から見て階段状に形成されている。
【００２４】
上記前面板１０および後面板１１には、図６に示すように、第１〜第６ウイング３〜８の支持ピン９が挿入される支持孔１６が各ウイング３〜８の取付部にそれぞれ設けられるとともに、上記支持孔１６の内側方部および下方部には、各ウイング３〜８の突部１０が係合される半球状の第１凹部１７と第２凹部１８とがそれぞれ形成されている。また、上記第１凹部１７の上方には、各ウイング３〜８の基端部上面にそれぞれ当接して各ウイング３〜８を水平に拡開した状態に保持する第１突片１９が突設されている。さらに、上記第２凹部１８の外側方には、上記支持ピン９の設置部よりも外側方側に位置する部分の下面にそれぞれ当接して各ウイング３〜８を水平に拡開した状態に保持する第２突片２０が突設されている。
【００２５】
上記各ウイング３〜８の設置部に形成された各支持孔１６は、それぞれ上記前面板１０の外側辺部に沿って設置されている。これによって上記各支持孔１６に挿入される支持ピン９は、下方に位置するものほど、ハンガー本体１の中央部までの距離が次第に大きくなるように配列されることになる。
【００２６】
そして、立体ハンガーの使用時には、各ウイング３〜８の突部１０がハンガー本体１の第１凹部１７に嵌入されることにより、図１および図３に示すように、各ウイング３〜８が水平に拡開された状態に係止され、かつ各ウイング３〜８の基端部上面が上記第１突片１９の下面に当接するとともに、上記支持ピン９の設置部よりも外側方側に位置する部分の下面が上記第２突片２０の上面に当接することにより、各ウイング３〜８がそれぞれ上記拡開状態で保持されるようになっている。また、立体ハンガーの不使用時には、上記突部１０がハンガー本体１の第２凹部１８内に嵌入されることにより、図７および図８に示すように、各ウイング３〜８が鉛直方向に折畳まれた状態に係止されることになる。
【００２７】
上記吊下用フック２は、図９に示すように、円弧状のフック本体２１と、このフック本体２１の下端部から下方に伸びる取付部２２とを有し、この取付部２２には、その下端部から上方に伸びるスリット２３が形成されている。また、上記取付部２２の下端部には、先窄まりのテーパ面を有する逆止突起２４が形成されるとともに、上記取付部２２の上部外周には、リング状の係止部２５が形成されている。そして、上記逆止突起２４のテーパ面がハンガー本体１の筒状部１５に圧接され、上記スリット２３の開口幅が狭められた状態で、図１０に示すようにフック２の取付部２２が上記筒状部１５内に挿入されて回動自在に支持されるように構成されている。
【００２８】
上記構成の立体ハンガーを使用して水洗いされた洋服を乾燥させる場合には、各ウイング３〜８を水平に拡開した状態で係止するとともに、上記吊下用フック２を物干し竿等に引掛て立体ハンガーを吊下した状態で、上記各ウイング３〜８に洋服を保持させる。この結果、上記水洗いされた洋服は、各ウイング３〜８によって立体形状に保持され、着用時に対応した適正形状を維持しつつ乾燥されることになる。
【００２９】
また、上記立体ハンガーの不使用時には、各ウイング３〜８に形成された半球状の突部１０を、ハンガー本体１の第１凹部１７から離脱させて各ウイング３〜８の係止状態を解除した後、各ウイング３〜８を起立させる方向に揺動変位させるとともに、上記突部１０をハンガー本体１の第２凹部１８に係合させることにより、各ウイング３〜８を折畳み状態に係止する。また、吊下用フック２の取付部２２を、図１０の実線で示す上方の引出状態から、図１０の仮想線で示すように押し下げることにより格納状態に移行させる。
【００３０】
このようにハンガー本体１の左右両側辺部に第１〜第６ウイング３〜８を上下方向に離間させた状態で取り付け、各ウイング３〜８の外周面によって人体の首部から肩部に対応した立体形状が形成されるように各ウイング３〜８の大きさおよび形状をそれぞれ設定したため、水洗いされた洋服を型崩れさせることなく、立体形状に保持した状態で適正に乾燥させることができる。
【００３１】
そして、上記のように各ウイング３〜８を上下方向に離間させた状態で配列したため、風船式マネキンハンガーに洋服を保持させた場合のように、洋服の裏面が広範囲に亘ってハンガーに密着されることがなく、洋服の通気性を充分に確保して洋服を迅速に乾燥させることができるとともに、ボデー型袋内に空気を注入するという繁雑な作業を要することなく、立体形状のハンガーを構成することができる。さらに、プラスチック材等によってマネキン形状の立体ハンガーを形成した場合に比べ、ハンガーの重量を軽量化することができる。
【００３２】
特に、上記実施形態に示すように、成人の標準体形をコンピュータ解析することにより得られた体形データ等に基いて、各ウイング３〜８の側辺部および後辺部を結ぶラインを人間の上半身に対応した形状に湾曲させた場合には、高剛性の芯地がないために、前面部に比べて型崩れを生じ易いジャケット等の側面部および後面部を、上記各ウイング３〜８によって人体の首部から肩部に対応した立体形状に適正に保持し、上記ジャケット等の型崩れを効果的に防止することができる。なお、洋服の前面部が型崩れするのを効果的に防止できるようにするため、上記各ウイング３〜８の前辺部を人間の胸部に対応した形状に形成してもよい。
【００３３】
また、上記各ウイング３〜８をハンガー本体１に固定した構造としてもよいが、上記実施形態に示すように、各ウイング３〜８の基端部に設けられた支持ピン９を支点にして各ウイング３〜８を揺動可能に支持した場合には、立体ハンガーの不使用時に、各ウイング３〜８を拡開状態から折畳み状態に移行させてコンパクト化することができるため、上記立体ハンガーの保管および搬送等を容易に行うことができる。
【００３４】
そして、各ウイング３〜８の基端部に設けられた半球状の突部１０と、ハンガー本体１に設けられた半球状の第１，第２凹部１７，１８とからなる第１，第２係止部を設け、各ウイング３〜８を拡開状態および折畳み状態に係脱可能に係止することにより、立体ハンガーの使用時に、各ウイング３〜８を水平に拡開した状態に安定して維持することができるとともに、立体ハンガーの不使用時に、各ウイング３〜８を折畳み状態に安定して維持することができる。
【００３５】
なお、上記支持ピン９をハンガー本体１の前面板１０および背面板１１の所定位置に突設するとともに、上記支持ピン９が嵌入される係止孔を各ウイング３〜８の基端部に設けた構造としてもよい。また、ハンガー本体１の前面板１０および背面板１１の所定位置に半球状の第１，第２突部を設けるとともに、各ウイング３〜８の基端部に半球状の凹部を設けることにより、各ウイング３〜８を拡開状態および折畳み状態に係脱可能に係止するように構成してもよい。
【００３６】
また、上記実施形態では、各ウイング３〜８の基端部上面および上記支持ピン９の設置部よりも外側方側に位置する部分の下面に当接して、各ウイング３〜８を水平に拡開した状態に保持する第１，第２突片１９，２０を、ハンガー本体１に設けたため、水洗いされた洋服を保持させる際に各ウイング３〜８に作用する荷重を、上記第１，第２突片１９，２０の設置部において安定して支持し、各ウイング３〜８が破損したり、折れ曲がって設置角度が変化したりするのを確実に防止することができる。なお、上記第１，第２突片１９，２０のいずれか一方を省略した構造としてもよい。
【００３７】
また、上記実施形態では、各ウイング３〜８の設置部に形成された各支持孔１６を、上窄まり形状に形成された上記前面板１０の外側辺部に沿って設置することにより、上記各支持孔１６に挿入される支持ピン９からハンガー本体１の中央部までの距離が下方に位置するものほど次第に大きくなるように、上記各ピン９を配列したため、最上方に位置する第１ウイング３をハンガー本体１の中央部に近い位置において鉛直方向に起立させるとともに、第１ウイング３の下方に位置する第２〜第６ウイング４〜８を、順次ハンガー本体１の外側方に配列して鉛直方向に起立させることにより、各ウイング３〜８を他のウイングに干渉させることなくコンパクトに折畳むことができる。
【００３８】
さらに、上記のように洋服の荷重が集中的に作用する肩部上端のコーナ部に配設された第５ウイング７の外周部の上下寸法を、他のウイング３〜６，８に比べて大きく形成するとともに、第５ウイング７の前辺部と後辺部とを連結する複数の補強リブ７１を設けることにより、上記荷重に対する第５ウイング７の強度が充分に確保されるように構成したため、この第５ウイング７が洋服の荷重に応じて破損するという事態の発生を効果的に防止することができる。しかも、作用する荷重が小さい他のウイング３〜６，８の上下寸法を小さくすることにより、立体ハンガーの重量を低減することができる。
【００３９】
また、図６に示すように、上記第５ウイング７に設けられた支持ピン９の設置位置から第５ウイング７の内側端部までの距離Ｌを、他のウイング３〜６，８よりも大きな値に設定した場合には、上記第５ウイング７の基端部を広範囲に亘って上記第１突片１９に当接させることにより、洋服を立体ハンガーに保持させた際に生じる大きな荷重を広範囲に分散させて支持することができるため、上記基端部が破損するのを効果的に防止できるという利点がある。
【００４０】
なお、上記各ウイング３〜８の個数等は、上記実施形態に限定されることなく種々の変更が可能であり、また上記各ウイング３〜８とハンガー本体１とを蝶板で連結する等により、各ウイング３〜８をハンガー本体１に対して折畳み可能なように連結した構造としてもよい。
【００４１】
【発明の効果】
以上説明したように、請求項１に係る発明は、水洗いされた洋服を乾燥させる際に使用される立体ハンガーであって、ハンガー本体の左右両側辺部に複数のウイングを上下方向に離間させた状態で取り付け、各ウイングの外周面によって人体の首部から肩部に対応した立体形状が形成されるように各ウイングの大きさおよび形状をそれぞれ設定し、洋服の荷重が集中して作用する肩部上端のコーナ部に位置するウイングの外周部の上下寸法を他のウイングよりも大きく形成するとともに、上記肩部上端のコーナ部に位置するウイングの前辺部と後辺部とを補強リブを介して互いに連結したため、簡単かつ軽量な構成で水洗いされた洋服の通気性を充分に確保した状態で適正形状に保持し、この洋服を型崩れさせることなく迅速に乾燥させることができる等の利点がある。
【００４２】
また、請求項２に係る発明は、各ウイングの少なくとも側辺部および後辺部を結ぶラインを人間の上半身に対応した形状に湾曲させたため、型崩れを生じ易いジャケット等の側面部および後面部を、上記各ウイングによって人体の首部から肩部に対応した立体形状に適正に保持することにより、上記ジャケット等の型崩れを効果的に防止することができる。
【００４３】
また、請求項３に係る発明は、各ウイングをハンガー本体に対して折畳み可能となるように支持させたため、立体ハンガーの不使用時に、各ウイングを拡開状態から折畳み状態に移行させることにより、立体ハンガーの保管および搬送等を便利に行い得るように、各ウイングを折畳んでコンパクト化することができるという利点がある。
【００４４】
また、請求項４に係る発明は、各ウイングとハンガー本体との間に、各ウイングの揺動支点となる支持ピンと、各ウイングを拡開状態に係脱可能に係止する第１係止部と、各ウイングを折畳み状態に係脱可能に係止する第２係止部とを設けたため、立体ハンガーの使用時に、各ウイングを水平方向等に拡開した状態に安定して維持することができ、かつ立体ハンガーの不使用時に、各ウイングを拡開状態から折畳み状態に移行させてコンパクト化することができるとともに各ウイングを折畳み状態に安定して維持することができ、これによって立体ハンガーの保管および搬送等を容易に行うことができる。
【００４５】
また、請求項５に係る発明は、各ウイングとハンガー本体との間に、各ウイングの揺動支点となる支持ピンを設けるとともに、各ウイングに当接して各ウイングを拡開状態に保持する突片をハンガー本体に設けたため、水洗いされた洋服等を各ウイングに保持させる際に作用する荷重を、上記突片の設置部において安定して支持し、各ウイングが破損したり、折り曲げられて設置角度が変化したりすること等を確実に防止できるという利点がある。
【００４６】
また、請求項６に係る発明は、各ウイングの揺動支点となる支持ピンを、下方に位置するものほど、ハンガー本体の中央部までの距離が次第に大きくなるように配列したため、立体ハンガの不使用時に、最上方に位置するウイングをハンガー本体の中央部に近い位置において起立させるとともに、上記ウイングの下方に位置する各ウイングを、順次ハンガー本体の外側方に配列して起立させることにより、各ウイングを他のウイングに干渉させることなくコンパクトに折畳むことができる。
【図面の簡単な説明】
【図１】本発明に係る立体ハンガーの実施形態を示す正面図である。
【図２】上記立体ハンガーの構成を示す平面図である。
【図３】上記立体ハンガーの構成を示す斜視図である。
【図４】ウイングの構成を示す平面図である。
【図５】ハンガー本体の構成を示す側面図である。
【図６】ハンガー本体の構成を示す正面図である。
【図７】各ウイングの折畳み状態を示す正面図である。
【図８】各ウイングの折畳み状態を示す斜視図である。
【図９】吊下用フックの構成を示す説明図である。
【図１０】吊下用フックの取り付け状態を示す説明図である。
【符号の説明】
１  ハンガー本体
２  吊下用フック
３  第１ウイング
４  第２ウイング
５  第３ウイング
６  第４ウイング
７  第５ウイング
８  第６ウイング
９  支持ピン
１０  突部（第１，第２係止部）
１７  第１凹部（第１係止部）
１８  第２凹部（第２係止部）
１９  第１突片
２０  第２突片
【図１】
0003950525.tif 000002
【図２】
0003950525.tif 000003
【図３】
0003950525.tif 000004
【図４】
0003950525.tif 000005
【図５】
0003950525.tif 000006
【図６】
0003950525.tif 000007
【図７】
0003950525.tif 000008
【図８】
0003950525.tif 000009
【図９】
0003950525.tif 000010
【図１０】
0003950525.tif 000011